(57)【要約】【課題】めがねをより安定的に支持対象物に支持可能なホルダーを提供する。【解決手段】めがねＧをその支持対象物Ｍに支持させるためのホルダーＨである。支持対象物Ｍに対する取付部１と、この取付部１との間にめがねフレームＧａを構成するつるＧｂを上方から挿通可能とする枠部４を形成する前部２とを備えると共に、枠部４内に挿通されたつるＧｂを押圧保持する保持手段５を備えてなる。【選択図】図５
2011008015.tif 000002
【特許請求の範囲】
【請求項１】
めがねをその支持対象物に支持させるためのホルダーであって、
支持対象物に対する取付部と、この取付部との間にめがねフレームを構成するつるを挿通可能とする枠部を形成する前部とを備えると共に、
枠部内に挿通されたつるを押圧保持する保持手段を備えてなることを特徴とするめがねホルダー。
【請求項２】
保持手段は、枠部の一部を、枠部内へのつるの挿通を弾性変形により許容する弾性変形部とさせてなることを特徴とする請求項１に記載のめがねホルダー。
【請求項３】
弾性変形部は、枠部の内方に突き出す山状をなし、その頂部に向かうに連れて枠部の枠内空間を狭める向きに傾斜した傾斜面を備えていることを特徴とする請求項２に記載のめがねホルダー。
【請求項４】
少なくとも弾性変形部を軟質材料から構成させてなることを特徴とする請求項２又は請求項３に記載のめがねホルダー。
【請求項５】
取付部に支持対象物に対する縫着可能部が形成されていることを特徴とする請求項１〜請求項４のいずれか１項に記載のめがねホルダー。
【発明の詳細な説明】
【技術分野】
【０００１】
この発明は、通常の眼鏡やサングラスなどのめがねを、各種の支持対象物に支持させるために、この支持対象物に備え付けられるホルダーに関する。
【背景技術】
【０００２】
めがねフレームを構成するつるの通されるループを備えたシャツがある。（特許文献１参照）また、つるを畳んだ状態でこのつるとめがねフレームを構成する縁とのヒンジによる接合箇所が引っかけられるフックを備えてなる吊下具がある。（特許文献２参照）しかるに、これら従来のものは、前記ヒンジによる接合箇所をもってめがねをシャツや壁面に単純に吊り下げるに留まるものであった。
【先行技術文献】
【特許文献】
【０００３】
【特許文献１】実開平６−６１９０１号公報
【特許文献２】特開２００２−２０９７１２号公報
【発明の概要】
【発明が解決しようとする課題】
【０００４】
この発明が解決しようとする主たる問題点は、めがねをより安定的に支持対象物に支持可能なホルダーを提供する点にある。
【課題を解決するための手段】
【０００５】
前記課題を達成するために、この発明にあっては、めがねホルダーを、めがねをその支持対象物に支持させるためのホルダーであって、
支持対象物に対する取付部と、この取付部との間にめがねフレームを構成するつるを挿通可能とする枠部を形成する前部とを備えると共に、
枠部内に挿通されたつるを押圧保持する保持手段を備えてなるものとした。
【０００６】
かかる構成によれば、枠部内に挿通されたつるを保持手段により枠部内から抜け出し難く、かつ、ガタつき少なくホルダーにより保持させることができる。したがって、支持対象物が被服やかばんなどの場合であっても、使用者の活動によってめがねが振れたりすることがなく、ホルダーを介してめがねを支持対象物に安定的に支持させることができる。
【０００７】
保持手段は、枠部の一部を、枠部内へのつるの挿通を弾性変形により許容する弾性変形部とさせることで、ホルダーに備えさせておくこともある。このようにした場合、弾性変形部の弾発によってつるをガタつき少なくホルダーにより保持させることができる。
【０００８】
弾性変形部を、枠部の内方に突き出す山状をなすように構成すると共に、その頂部に向かうに連れて枠部の枠内空間を狭める向きに傾斜した傾斜面を備えた構成としておくこともある。このようにした場合、枠部内につるを挿通させるとき、枠部の入り口を比較的広くしてこの挿通を行いやすくすることができ、また、傾斜面に接するつるの自由端（耳あて）により弾性変形部を徐々に外向きに撓み出させるようにすることができ、枠部につるを挿通し易くなる。
【０００９】
枠部における少なくとも弾性変形部を軟質材料から構成させておけば、この弾性変形部に所用の弾性変形特性を容易に備えさせることができる。
【００１０】
また、前記取付部に支持対象物に対する縫着可能部を形成させておけば、この縫着可能部をもって支持対象物に縫いつけることで支持対象物にホルダーを備え付けることができる。
【発明の効果】
【００１１】
この発明によれば、ホルダーを介して支持対象物にめがねを安定的に支持させることができる。
【図面の簡単な説明】
【００１２】
【図１】図１はホルダーの正面図である。
【図２】図２はホルダーの平面図である。
【図３】図３はホルダーの右側面図である。
【図４】図４は図１におけるＡ−Ａ線断面図である。
【図５】図５はホルダーの使用状態を示した断面図であり、便宜上、めがねを想像線で示し、弾性変形部は変形させない状態で表している。
【発明を実施するための形態】
【００１３】
以下、図１〜図５に基づいて、この発明の典型的な実施の形態について説明する。この実施の形態にかかるホルダーＨは、通常の眼鏡やサングラスなどのめがねＧを、各種の支持対象物Ｍに吊り下げ状に支持させるために、この支持対象物Ｍに備え付けられるものである。かかる支持対象物Ｍは、ホルダーＨが取り付け可能で、取り付けられたホルダーＨを介してめがねＧを支持可能なものであれば足りる。典型的には、支持対象物Ｍとしては、被服やかばん・袋物などが想定される。上着の胸の部分にかかるホルダーＨを備え付けることで、この上着の胸の部分にホルダーＨを介してめがねＧを吊り下げ状に支持させることができる。また、ズボンの腰の部分にかかるホルダーＨを備え付けることで、このズボンの腰の部分にホルダーＨを介してめがねＧを吊り下げ状に支持させることができる。また、キャップ帽の両側部にかかるホルダーＨをそれぞれ備え付けるようにすれば、つるＧｂを折りたたまずにキャップ帽の鍔上に縁Ｇｃを載置するように配されためがねＧにおける後方に延びるこのつるＧｂを、かかるホルダーＨに保持させてキャップ帽の鍔上にめがねＧを安定的に載置させることができる。また、リュックサックの外面部、例えば、背負いバンドやウエストストラップにかかるホルダーＨを備え付けることで、このリュックサックにホルダーＨを介してめがねＧを吊り下げ状に支持させることができる。
【００１４】
かかるホルダーＨは、支持対象物Ｍに対する取付部１と、この取付部１との間にめがねフレームＧａを構成するつるＧｂを挿通可能とする枠部４を形成する前部２とを備えている。また、かかるホルダーＨは、かかる枠部４内に挿通されたつるＧｂを押圧保持する保持手段５を備えている。
【００１５】
これにより、この実施の形態にかかるホルダーＨによれば、前記枠部４内に挿通されたつるＧｂを保持手段５によりこの枠部４内から抜け出し難く、かつ、ガタつき少なくかかるホルダーＨにより保持させることができる。したがって、支持対象物Ｍが被服やかばんなどの場合であっても、使用者の活動によってめがねＧが振れたりすることがなく、ホルダーＨを介してめがねＧを支持対象物Ｍに安定的に支持させることができる。
【００１６】
この実施の形態にあっては、前記保持手段５は、枠部４の一部を、枠部４内へのつるＧｂの挿通を弾性変形により許容する弾性変形部５ａとさせることで、ホルダーＨに備えられている。これにより、かかる弾性変形部５ａの弾発によってつるＧｂをガタつき少なくホルダーＨにより保持させることができるようになっている。
【００１７】
図示の例では、前記取付部１は幅と長さとをもった板状の外郭形状を備えるように構成されている。一方、前部２は、取付部１の全長に亘る長さを有するが、取付部１よりも幅狭に構成されており、左右側部３、３を介して取付部１に一体に連接されて取付部１の前方に位置されている。すなわち、取付部１の左端と前部２の左端、および取付部１の右端と前部２の右端とがぞれぞれ側部３により一体に連接されており、これにより前記枠部４が構成されている。つるＧｂはその自由端（耳あて側）からこの枠部４内に挿入できるようになっている。ホルダーＨを正面視した状態において、前部２の長さ方向に亘る一側縁部は取付部１の長さ方向に亘る一側縁部と略同じ位置に位置されている。（図１）一方、ホルダーＨを正面視した状態において、前部２の長さ方向に亘る他側縁部から取付部１の長さ方向に亘る他側縁部までの間は取付部１は前部２によって覆われないようになっている。図示の例では、この取付部１における前部２によって覆われていない箇所が、支持対象物Ｍに対する縫着可能部６となっている。すなわち、図示の例では、支持対象物Ｍの面に取付部１の背面１ｃを添装させた状態から、かかる縫着可能部６に取付部１の長さ方向に沿った縫いつけを施すことにより、ホルダーＨを支持対象物Ｍに備え付けることができるようになっている。
【００１８】
図示の例では、弾性変形部５ａは、取付部１の側に形成されている。もっとも、かかる弾性変形部５ａは前部２の側に形成されてあっても良く、また、取付部１と前部２の双方に形成されてあっても良い。
【００１９】
図示の例では、取付部１の左端と右端とにおいてそれぞれ、前記側部３とこの取付部１との連接箇所を枠部４の内方側から縁取るように、この取付部１の幅方向に沿った割溝１ｄが形成されている。そして、この左右の割溝１ｄ、１ｄの間が前記弾性変形部５ａとして機能するようにしてある。
【００２０】
かかる弾性変形部５ａは、枠部４の内方に突き出す山状をなすように構成されている。それと共に、かかる弾性変形部５ａは、その頂部５ｂに向かうに連れて枠部４の枠内空間を狭める向きに傾斜した傾斜面５ｃを備えている。図示の例では、取付部１における前記左右の割溝１ｄ、１ｄの間に位置される箇所が、枠部４内において、取付部１の長さ方向に亘る頂部５ｂを有すると共に、この頂部５ｂを挟んだ両側、つまり、取付部１の一側縁部の側と他側縁部の側とにそれぞれ、頂部５ｂに向かうに連れて前部２の内面に近づく向きに傾斜した傾斜面５ｃを備えるように、山状に成形されている。弾性変形部５ａは肉厚を略一様としており、取付部１の背面１ｃ側には弾性変形部５ａの前部２側への膨らみに相応した凹み１ｅが形成されている。
【００２１】
そして、図示の例では、かかる枠部４の弾性変形部５ａの頂部５ｂと前部２の内面との間の間隔が、めがねフレームＧａを構成するつるＧｂの太さよりも小さくなるようにしてある。これにより、枠部４内につるＧｂを挿通させるとき、枠部４の入り口４ａを比較的広くしてこの挿通を行いやすくすることができ、また、傾斜面に接するつるＧｂの自由端により弾性変形部５ａを徐々に外向きに撓み出させるようにすることができ、枠部４につるＧｂを挿通し易くしている。そして、つるＧｂと縁Ｇｃとを連接させるヒンジＧｄに近い位置まで枠部４につるＧｂを挿入させたときに、このつるＧｂを主として弾性変形部５ａを外側に撓み出させながら枠部４において弾持するようになっている。
【００２２】
図示の例では、前部２の内面も弾性変形部５ａの頂部５ｂに向き合う頂部２ｃを有している。また、前部２の内面もこの頂部２ｃを挟んだ両側をそれぞれ、この頂部２ｃに向かうに連れて取付部１の内面に近づく向きに傾斜した傾斜面２ｄとしている。これにより、図示の例では、枠部４の入り口４ａは取付部１の一側縁Ｇｃ部の側、および他側縁Ｇｃ部の側の双方の側においてそれぞれ広くなっている。また、図示の例では、弾性変形部５ａの頂部５ｂおよび前部２の内面の頂部２ｃはいずれも、枠部４へのつるＧｂの挿入方向において、このつるＧｂの中心線に略平行をなす面部２ｅ、５ｄを持っており、挿入されたつるＧｂに面的に接してこのつるＧｂを保持するようになっている。
【００２３】
図示の例では、ホルダーＨはその全体を軟質材料から構成させている。すなわち、図示の例ではホルダーＨはゴム又はゴム状弾性を備えたプラスチック（エラストマー）の一体成型品となっている。これにより前記縫着可能部６における縫いつけを無理なく行えるようになっている。もっとも、前記枠部４における少なくとも弾性変形部５ａを軟質材料から構成させておけば、この弾性変形部５ａに所用の弾性変形特性を容易に備えさせることができる。
【００２４】
かかるホルダーＨは、典型的には、前記縫着可能部６を上にして被服やかばんなどに取り付けられ、この場合にはつるＧｂを畳んだめがねＧを吊り下げ状に支持対象物Ｍに支持させる。前記キャップ帽にホルダーＨを備え付けるときは、典型的には、枠部４の入り口４ａの一方がキャップ帽の鍔側を向くようにして、キャップ帽の左右側部（側頭部を覆う箇所）にそれぞれホルダーＨを取り付けるようにする。
【符号の説明】
【００２５】
Ｇ  めがね
Ｇａ  フレーム
Ｇｂ  つる
Ｈ  ホルダー
Ｍ  支持対象物
１  取付部
２  前部
４  枠部
５  保持手段
【図１】
2011008015.tif 000003
【図２】
2011008015.tif 000004
【図３】
2011008015.tif 000005
【図４】
2011008015.tif 000006
【図５】
2011008015.tif 000007